(57)【特許請求の範囲】
【請求項１】
内部に商品を陳列する商品載置棚を有し、前面に商品取出用の開口部を有する貯蔵室と、この貯蔵室の上部に設けられた天板と、前記開口部の下部に設けられた冷気吸込口と、前記開口部を覆うナイトカバーと、前記冷気吸込口下側の空間部に設けられ、前記ナイトカバーを巻き込み収納するナイトカバー収納具とを備え、前記天板の前端が前記商品載置棚の前端より後方に設けられたショーケースにおいて、
前記天板の前方で前記ナイトカバーを支持し、かつ前記貯蔵室の上部に収納可能とされたナイトカバー支持部材を備えたことを特徴とするショーケース。
【請求項２】
前記ナイトカバーは係合具を有し、ショーケースの天板には前記係合具を係止するための係止部材を備えたことを特徴とする請求項１のショーケース。
【請求項３】
前記ナイトカバー支持部材は、伸縮可能な引出し部と、前記ナイトカバーを支持する支持部とを備えたことを特徴とする請求項１又は請求項２のショーケース。
【請求項４】
内部に商品を陳列する商品載置棚を有し、前面に商品取出用の開口部を有する貯蔵室と、この貯蔵室の上部に設けられた天板と、前記貯蔵室内に設けられた商品載置棚と、前記開口部の下部内側に設けられた冷気吸込口と、前記開口部を覆うナイトカバーと、前記冷気吸込口下側の空間部に設けられ、前記ナイトカバーを巻き込み収納するナイトカバー収納具とを備え、前記天板の前端が前記商品載置棚の前端より後方に設けられたショーケースにおいて、
前記天板の前方で前記ナイトカバーを支持し、かつ前記商品載置棚に収納可能とされたナイトカバー支持部材を備えたことを特徴とするショーケース。
【請求項５】
前記ナイトカバーは係合具を有し、ショーケースの天板には前記係合具を係止するための係止部材を備えたことを特徴とする請求項４のショーケース。
【発明の詳細な説明】
【０００１】
【発明の属する技術分野】
本発明は、夜間等に冷気が外部に漏れ出ないように前面開口部を覆うためのナイトカバーを有するショーケースに関するものである。
【０００２】
【従来の技術】
冷却ショーケース一般において、夜間等、貯蔵室内の商品を販売しない時間帯にも商品を冷却しておく必要があるが、その際、前面開口部を開放したままにしておくと、冷気が貯蔵室外に漏出して無駄が大きくなる。そこで、夜間等には、前面開口部を布あるいはフィルム状のナイトカバーで覆うようにしている。
【０００３】
その場合、特開平１１−１９０５８５号公報に示される如く、ナイトカバーを巻き込み収納するためのナイトカバー収納具を、冷気吸込口の下側の冷気を通す冷気通路内に設け、このナイトカバーは、ナイトカバー収納具から冷気吸込口とハンドレールとの間に設けた間隙を通して上側に引き出すようにしたものがある。
【０００４】
図１０は係る従来例を示し、１０は商品載置棚、１１は背面パネル、１５は天板、１６はハンドレールである。
【０００５】
【発明が解決しようとする課題】
図１０に示すショーケースの如く、視界の低下を防止するため商品載置棚１０の前面より天板１５を後退させている場合にナイトカバー１３を使用すると、商品載置棚１０の前面又は商品載置棚１０に載置してある商品にナイトカバー１３が接触してしまう。そのため、ナイトカバー１３を使用する場合は特に最上段の商品載置棚１０の商品を取り除く必要があり、この最上段の商品載置棚１０の商品を取り除かない場合にはナイトカバー１３を使用することができないため、夜間等、貯蔵室内の商品を販売しない時間帯に冷気が漏出してしまい、冷却能力が低下し、無駄な電力を消費していた。
【０００６】
本発明は、このような問題点を解決するために成されたもので、夜間等、貯蔵室内の商品を販売しない時間帯にナイトカバーで前面開口部を簡単な作業により覆うことができ、それにより冷気の漏出を最少限に抑えて、冷却能力の向上と一層の消費電力の低減を図ることができるようにすることを目的とするものである。
【０００７】
【課題を解決するための手段】
前記課題を解決するため、請求項１のショーケースは、内部に商品を陳列する商品載置棚を有し、前面に商品取出用の開口部を有する貯蔵室と、この貯蔵室の上部に設けられた天板と、前記開口部の下部に設けられた冷気吸込口と、前記開口部を覆うナイトカバーと、前記冷気吸込口下側の空間部に設けられ、前記ナイトカバーを巻き込み収納するナイトカバー収納具とを備え、前記天板の前端が前記商品載置棚の前端より後方に設けられたものであって、前記天板の前方で前記ナイトカバーを支持し、かつ前記貯蔵室の上部に収納可能とされたナイトカバー支持部材を備えたものである。
【０００８】
請求項１の発明によれば、天板の前端が前記商品載置棚の前端より後方に設けられたショーケースにおいて、天板の前方で前記ナイトカバーを支持し、かつ前記貯蔵室の上部に収納可能とされたナイトカバー支持部材を設けたことにより、夜間等、貯蔵室内の商品を販売しない時間帯に商品載置棚に載置された商品を移動させることなく前面開口部を簡単な作業によりナイトカバーで覆うことができ、冷気が漏出することがない。また、ナイトカバーを使用しないときは、ナイトカバー支持部材を貯蔵室の上部に収納しておくことができる。
【０００９】
請求項２のショーケースは、請求項１において、前記ナイトカバーは係合具を有し、ショーケースの天板には前記係合具を係止するための係止部材を備えたものである。
【００１０】
請求項２の発明によれば、ナイトカバーの係合具をショーケースの天板に設けられた係止部材に係止することにより、ナイトカバーの一端部はショーケースの天板にまで届くと共に、天板の前方で前記ナイトカバーが支持されるため、ナイトカバーによって貯蔵室全体が覆われるようになり、請求項１の発明に比較して貯蔵室上部からの冷気漏出も防止できるようになる。また、ナイトカバーを使用しないときは、ナイトカバー支持部材を貯蔵室の上部に収納しておくことができる。
【００１１】
請求項３のショーケースは、請求項１又は請求項２において、前記ナイトカバー支持部材は、伸縮可能な引出し部と、前記ナイトカバーを支持する支持部とを備えたものである。
【００１２】
請求項３の発明によれば、ナイトカバー支持部材は、伸縮可能なものであるためナイトカバー支持部材を引き出す作業を容易に行うことができるので、前面開口をナイトカバーにより容易に覆えると共に、ナイトカバーを使用しないときは、ナイトカバー支持部材を貯蔵室の上部に容易に収納することができる。
【００１３】
請求項４のショーケースは、内部に商品を陳列する商品載置棚を有し、前面に商品取出用の開口部を有する貯蔵室と、この貯蔵室の上部に設けられた天板と、前記貯蔵室内に設けられた商品載置棚と、前記開口部の下部内側に設けられた冷気吸込口と、前記開口部を覆うナイトカバーと、前記冷気吸込口下側の空間部に設けられ、前記ナイトカバーを巻き込み収納するナイトカバー収納具とを備え、前記天板の前端が前記商品載置棚の前端より後方に設けられたものであって、前記天板の前方で前記ナイトカバーを支持し、かつ前記商品載置棚に収納可能とされたナイトカバー支持部材を備えたものである。
【００１４】
請求項４の発明によれば、天板の前端が前記商品載置棚の前端より後方に設けられたショーケースにおいて、天板の前方で前記ナイトカバーを支持し、かつ前記商品載置棚に収納可能とされたナイトカバー支持部材を設けたことにより、ナイトカバー収納具を設けても視界が狭められるようなことがなくなると共に、夜間等、貯蔵室内の商品を販売しない時間帯に商品載置棚に載置された商品を移動させることなくナイトカバーで前面開口部を簡単な作業により覆うことができ、冷気が漏出することがない。また、ナイトカバーを使用しないときは、ナイトカバー支持部材を商品載置棚に収納しておくことができる。
【００１５】
請求項５のショーケースは、請求項４において、前記ナイトカバーは係合具を有し、ショーケースの天板には前記係合具を係止するための係止部材を備えたものである。
【００１６】
請求項５の発明によれば、ナイトカバーの係合具をショーケースの天板に設けられた係止部材に係止することにより、天板の前方で前記ナイトカバーが支持されると共に、ナイトカバーの一端部はショーケースの天板にまで届くため、ナイトカバーによって貯蔵室全体が覆われるようになり、請求項４の発明に比較して貯蔵室上部からの冷気漏出も防止できるようになる。また、ナイトカバーを使用しないときは、ナイトカバー支持部材を商品載置棚に収納しておくことができる。
【００１７】
【発明の実施の形態】
以下、本発明の実施の形態を図面に基づいて説明する。尚、従来例と同等の作用又は機能を奏するものは同一の番号を付す。図１において、１は圧縮機、２は凝縮器、３は凝縮器ファン、４は冷却器、５は冷気循環ファン、６は冷気通路、７は冷気吐出口、８は冷気吸込口、９は断熱壁、１０は商品載置棚、１１は背面パネル、１２は側板、１３はナイトカバー、１４はナイトカバー収納具、１５は天板、１６はハンドレール、１７は排気通路、１８は貯蔵室、１９はナイトカバー先端支持杆、２０は係合具としての把手、２２は係止部材としてのフックである。また、２３は圧縮機１、凝縮器２及び凝縮器ファン３等が収納されている機械室である。このショーケースＳは高さが１ｍ程度であるため、最上段の商品載置棚１０の商品を見易くするためにこの商品載置棚１０の前端より天板１５の前端を後退させている。
【００１８】
前記凝縮器用ファン３は吸引型の送風機であり、凝縮器２から後方に延在するファンケース２４の後端に取り付けられている。これにより、凝縮器用ファン３が運転されると、凝縮器２の前側の空気は凝縮器２内に吸い込まれ、この凝縮器２及び凝縮器用ファン３を経て後方の圧縮機１に吹き付けられることになる。それによって、凝縮器２と圧縮機１の放熱を促進させる。また、この機械室２３の後面は閉塞板２５により閉塞されると共に、機械室２３の前面開口には機械室カバー２６が取り付けられている。
【００１９】
機械室カバー２６には、吸込口２７が設けられている。この機械室カバー２６が機械室２３の開口に取り付けられことによって、機械室２３内は、凝縮器２及び凝縮器ファン３を介して機械室カバー２６の前方に連通すると共に、ショーケースＳ背部の外箱の裏板３９と排気通路裏板２８との間に形成された排気通路１７を介して、ショーケースＳ上方に連通するかたちとなる。
【００２０】
したがって、凝縮器用ファン３の運転によって機械室カバー２６前方の外気は吸込口２７から吸引され、先ず凝縮器２に流入して空冷する。次に、凝縮器用ファン３を経て圧縮機１に吹き付けられ、それを空冷する。このように凝縮器２、圧縮機１を順次空冷して暖かくなった外気（暖気）は、機械室２３の後面が閉塞板２５によって閉塞されているため、機械室２３の後部において、上方の排気通路１７内に向かい、ショーケースＳの外に吹き出される。
【００２１】
一方、圧縮機１で圧縮され、凝縮器２で液化された冷媒が、冷却器４で蒸発することにより、そこを流れる空気を冷却する。冷却器４で冷却された冷気は、冷気通路６を通って冷気吐出口７から貯蔵室１８内に吐出され、貯蔵室１８内を循環しながら、その中に陳列された図示しない商品を冷却し、冷気吸込口８から吸い込まれて冷気循環ファン５により再び冷却器４に送られる。そして、冷気吐出口７から冷気吸込口８の間に冷気のエアーカーテンが形成され、貯蔵室１８から外部への冷気の漏出が防止される。
【００２２】
ナイトカバー収納具１４は冷気吸込口８の下側の冷気通路６内に設けられている。これにより、天板１５にナイトカバー収納具１４を設ける必要がなくなり、その分、天板１５の前端を後ろ側に下げ、ショーケースＳ内部の商品を見易くすると共に、ナイトカバー収納具１４が外側から見えないようにして、外観を良くすると共に、商品を取り出し易くしている。
【００２３】
ナイトカバー１３は、ナイトカバー収納具１４に巻き込まれて収納されており、その先端には、ナイトカバー１３の全幅にわたってナイトカバー先端支持杆１９が取り付けられ、ナイトカバー先端支持杆１９の中央部には把手２０が取り付けられている。また、ナイトカバー１３は、スプリングにより自動巻込式になっており、把手２０を持って上に引くとナイトカバー収納具１４の中からナイトカバー１３を引き出すことができ、把手２０から手を離すとナイトカバー収納具１４内の前記スプリングによって自動的に巻き込まれるようになっている。ナイトカバー１３が巻き込まれている状態では、ハンドレール１６の後ろ側に隠れて見えないようになっている。そして、冷気吸込口８とハンドレール１６の内壁に設けられた案内板４０との間にナイトカバー１３が通ることができるナイトカバー引出し部４１を設け、そこを通してナイトカバー１３を上に引き出すようにしている。
【００２４】
３３はナイトカバー支持部材を示す。このナイトカバー支持部材３３は、伸縮可能であり、釣り竿の如く前方に引き出し可能とされた側面部３５と、このナイトカバー支持部材３３を引き出したときナイトカバー１３を支持する支持部３４とを有しているものであり、商品貯蔵室１８の上部の天面パネル３１の下方に固定されている。そして、ナイトカバー支持部材３３の支持部３４を天板１５より前方に突出させた状態で維持することができるものである。尚、ナイトカバー支持部材３３の支持部３４は、引き出す前は冷気吐出口より後方に位置している。
【００２５】
ナイトカバー１３を使用するときは、ナイトカバー支持部材３３を引き出してから、把手２０を持ってナイトカバー１３を上に引き上げ、天板１５の後端部に設けた係止部材としてのフック２２に把手２０を係止させることにより、ナイトカバー１３は、ショーケースＳ前面の開口部２１を覆った状態に保持されて冷気の漏出を防止する。
【００２６】
その状態では、ナイトカバー１３は、天板１５より前方でナイトカバー支持部材３３の支持部３４に支持されているため、商品載置棚１０上の商品に接触することがない。また、ナイトカバー１３は、冷気吐出口７より前方に位置するため、冷気吐出口７から吐出された冷気は冷気吸込口８に導かれることになる。また、ナイトカバー１３の表側には、内外温度差により結露が発生するが、発生した結露水は、ナイトカバー１３を伝って冷気吸込口８とハンドレール１６との間の間隙（ナイトカバー引出部４１）を通って冷気通路６内に導かれ、図示しない排水口から機械室２３に排出される。したがって、結露水がショーケースＳ前側の床に垂れ落ちるようなことはなくなる。
【００２７】
また、ナイトカバー１３の把手２０をショーケースＳの天板１５のフック２２に係止する位置は、前記排気通路１７より前方であるので、天板１５上方への暖気の排気を阻害しないので、機械室２３内の圧縮機１や凝縮器２の放熱を妨げることがない。
【００２８】
また、ナイトカバー１３を収納するときは、ナイトカバー１３をナイトカバー収納具１４に収納した後、ナイトカバー支持部材３３を後方に押すことによって、ナイトカバー支持部材３３の支持部３４は冷気吐出口７より後方まで移動する。そのため、ナイトカバー支持部材３３を天面パネル３１の下方に容易に収納することができると共に、冷気吐出口７からの冷気の吐出を阻害しない。
【００２９】
逆に、ナイトカバー１３を使用するためナイトカバー支持部材３３を引き出すには、前述の如くこの作業の逆の作業を行えばよい。
【００３０】
尚、ナイトカバー支持部材３３の支持部３４はショーケースＳの側板１２の前端縁より貯蔵室側（奥側）に位置しており、冷気の漏出を抑制している。
【００３１】
図７乃至図９は、第２の実施例としてのナイトカバー支持部材４６を示す。ナイトカバー支持部材４６は、通常は商品載置棚１０に収納されており、商品載置棚１０の一対のブラケット４７、４７に設けられた孔４８、４８を摺動させて前端に移動させた後、上方に立ち上げてナイトカバー支持部材４６の撓みを利用してブラケット４７、４７に設けられたＵ字状切欠４９、４９に立上り部５２、５２を係止させることにより、ナイトカバー支持部材４６の支持部５０により上記実施例と同様にナイトカバー１３を支持するものである。
【００３２】
このときナイトカバー支持部材４６の立上り部５２、５２は、ブラケット４７、４７の内面を摺動すると共に上方に立ち上げるとＵ字状切欠４９、４９に係止するものであるから、図９に示す如く、ナイトカバー支持部材４６の立上り部５２、５２の両下端間の距離すなわち、左右のブラケット４７、４７に設けられたＵ字状切欠４９、４９間の距離Ｌ１は、左右のブラケット４７、４７の内面間の距離Ｌ２より短く、ブラケット４７、４７の上面間（Ｕ字条切欠を有する面）の距離Ｌ３より長い、すなわち、Ｌ３< Ｌ１< Ｌ２の関係がある。
【００３３】
また、ナイトカバー１３を収納するときは、次のように行う。まず、ナイトカバー１３をナイトカバー収納具１４に収納した後、ナイトカバー支持部材４６の前記切欠４９、４９への係止を外し、支持部５０を前方へ倒す。次いで、この支持部５０を後方へ押すことによって、ブラケット４７、４７の孔４８、４８をナイトカバー支持部材４６の摺動部５１、５１が後方へ移動することにより、支持部５０は商品載置棚１０の前端より後方に位置する。これによって、ナイトカバー支持部材４６はブラケット４７、４７の内側に収納されと共に、冷気吐出口７からの冷気の吐出を阻害することがない。
【００３４】
逆に、ナイトカバー１３を使用するためナイトカバー支持部材４６を引き出すには前述の如くこの作業の逆の作業を行えばよい。
【００３５】
次に、以上の実施例においては、ナイトカバー１３は、ショーケースＳの天板１５に設けられた係止部材としてのフック２２に係止されているが、以下のように実施することもできる。すなわち、第１の実施例において、ナイトカバー１３の把手２０を例えばこの第１の実施例におけるフック２２の如く、ナイトカバー支持部材３３の支持部３４に係止できる形状とする。そして、ナイトカバー１３を使用する際は、このフックをナイトカバー支持部材３３の支持部３４に係止することにより、貯蔵室１８の前面は覆われるが、貯蔵室１８の上部（天板より前方）は開口している状態になる。このとき、貯蔵室１８の上部（天板より前方）の開口部は冷気吐出口７より上方に位置するためこの開口部からの冷気の漏出が抑制されるので、冷却能力の向上と一層の消費電力の低減を図ることができる。
【００３６】
また、前記第２の実施例においても、ナイトカバー１３の把手２０を前述と同様にフック２２の如く、ナイトカバー支持部材４６の支持部５０に係止できる形状とする。そして、ナイトカバー１３を使用する際は、このフックをナイトカバー支持部材４６の支持部５０に係止することにより、貯蔵室１８の前面は覆われるが、貯蔵室１８の上部（天板より前方）は開口している状態になる。このときも前述と同様に、貯蔵室１８の上部（天板より前方）の開口部は冷気吐出口７より上方に位置するためこの開口部からの冷気の漏出が抑制されるので、冷却能力の向上と一層の消費電力の低減を図ることができる。
【００３７】
【発明の効果】
本発明は、以上説明したように構成されているので、次に記載するような効果を奏する。
【００３８】
請求項１の発明によれば、天板の前端が前記商品載置棚の前端より後方に設けられたショーケースにおいて、天板の前方で前記ナイトカバーを支持し、かつ前記貯蔵室の上部に収納可能とされたナイトカバー支持部材を設けたことにより、夜間等、貯蔵室内の商品を販売しない時間帯に商品載置棚に載置された商品を移動させることなくナイトカバーで前面開口部を簡単な作業により覆うことができ、冷気が漏出することがない。また、ナイトカバーを使用しないときは、ナイトカバー支持部材を貯蔵室の上部に収納しておくことができる。
【００３９】
請求項２の発明によれば、ナイトカバーの係合具をショーケースの天板に設けられた係止部材に係止することにより、ナイトカバーの一端部はショーケースの天板にまで届くと共に、天板の前方で前記ナイトカバーが支持されるため、ナイトカバーによって貯蔵室全体が覆われるようになり、請求項１の発明に比較して貯蔵室上部からの冷気漏出も防止できるようになる。また、ナイトカバーを使用しないときは、ナイトカバー支持部材を貯蔵室の上部に収納しておくことができる。
【００４０】
請求項３の発明によれば、ナイトカバー支持部材は、伸縮可能なものであるためナイトカバー支持部材を引き出す作業を容易に行うことができるので、前面開口をナイトカバーにより容易に覆えると共に、ナイトカバーを使用しないときは、ナイトカバー支持部材を貯蔵室の上部に容易に収納することができる。
【００４１】
請求項４の発明によれば、天板の前端が前記商品載置棚の前端より後方に設けられたショーケースにおいて、天板の前方で前記ナイトカバーを支持し、かつ前記商品載置棚に収納可能とされたナイトカバー支持部材を設けたことにより、ナイトカバー収納具を設けても視界が狭められるようなことがなくなると共に、夜間等、貯蔵室内の商品を販売しない時間帯に商品載置棚に載置された商品を移動させることなくナイトカバーで前面開口部を簡単な作業により覆うことができ、冷気が漏出することがない。また、ナイトカバーを使用しないときは、ナイトカバー支持部材を商品載置棚に収納しておくことができる。
【００４２】
請求項５の発明によれば、ナイトカバーの係合具をショーケースの天板に設けられた係止部材に係止することにより、天板の前方で前記ナイトカバーが支持されると共に、ナイトカバーの一端部はショーケースの天板にまで届くため、ナイトカバーによって貯蔵室全体が覆われるようになり、請求項４の発明に比較して貯蔵室上部からの冷気漏出も防止できるようになる。また、ナイトカバーを使用しないときは、ナイトカバー支持部材を商品載置棚に収納しておくことができるものである。
【図面の簡単な説明】
【図１】本発明に係るナイトカバーを使用したショーケースを示す。
【図２】図１におけるＡ部拡大図である。
【図３】図１におけるＢ部拡大図である。
【図４】図１における上部拡大図をナイトカバーを外して示す。
【図５】ナイトカバー支持部材を示す斜視図である。
【図６】ナイトカバー支持部材を収納した状態を示す要部拡大図である。
【図７】本発明の第２の実施例に係るナイトカバーを使用したショーケースを示す。
【図８】図７における上部拡大図をナイトカバーを外して示す。
【図９】ブラケット及びナイトカバー支持部材を示す要部斜視図である。
【図１０】従来のショーケースを示す図である。
【符号の説明】
１    圧縮機
２    凝縮器
４    冷却器
６    冷気通路
７    冷気吐出口
８    冷気吸込口
１０  商品載置棚
１３  ナイトカバー
１４  ナイトカバー収納具
１５  天板
２０  係合具（把手）
２２  係止部材（フック）
３１  天面パネル
３３  ナイトカバー支持部材
３４  支持部
３５  側面部
４６  ナイトカバー支持部材
４７  ブラケット
４８  孔
４９  切欠
５０  支持部
５１  摺動部
【図１】
0003889547.tif 000002
【図２】
0003889547.tif 000003
【図３】
0003889547.tif 000004
【図４】
0003889547.tif 000005
【図５】
0003889547.tif 000006
【図６】
0003889547.tif 000007
【図７】
0003889547.tif 000008
【図８】
0003889547.tif 000009
【図９】
0003889547.tif 000010
【図１０】
0003889547.tif 000011